(57)【要約】【課題】操作の安定性と携帯性が確保できる携帯端末装置を実現する。【解決手段】携帯端末本体に設けられ発熱部品を冷却する吸気空気ファンと、この吸気空気ファンに一端が連通され他端が吸気口に連通される吸気孔と、前記携帯端末装置の底面に設けられた吸盤と、この吸盤に一端が連通され他端が前記吸気孔の途中に連通される吸盤連通孔と、この吸盤連通孔と前記吸気孔との接続部に設けられ電源ＯＮ時には前記吸気孔の吸気口側を閉にし前記吸盤連通孔を開にし前記吸盤連通孔が所定の負圧に達したら前記所定の負圧を維持できる程度に前記吸気孔の吸気口側をも開にし電源ＯＦＦ時には前記吸気孔と前記吸盤連通孔を連通するバルブ手段と、を具備したことを特徴とする携帯端末装置である。【選択図】図１
2012098999.tif 000002
【特許請求の範囲】
【請求項１】
携帯端末本体に設けられ発熱部品を冷却する吸気空気ファンと、
この吸気空気ファンに一端が連通され他端が吸気口に連通される吸気孔と、
前記携帯端末装置の底面に設けられた吸盤と、
この吸盤に一端が連通され他端が前記吸気孔の途中に連通される吸盤連通孔と、
この吸盤連通孔と前記吸気孔との接続部に設けられ電源ＯＮ時には前記吸気孔の吸気口側を閉にし前記吸盤連通孔を開にし前記吸盤連通孔が所定の負圧に達したら前記所定の負圧を維持できる程度に前記吸気孔の吸気口側をも開にし電源ＯＦＦ時には前記吸気孔と前記吸盤連通孔を連通するバルブ手段と、
を具備したことを特徴とする携帯端末装置。
【請求項２】
前記バルブ手段は、一端側が前記吸気孔にヒンジ状に支持され電源ＯＮ時に前記吸気孔の吸気口側を閉にするバルブ板と、
前記バルブ板の他端側に一端が接続され他端が前記吸気孔に支持される圧縮ばねと、
を具備したことを特徴とする請求項１記載の携帯端末装置。
【発明の詳細な説明】
【技術分野】
【０００１】
本発明は、携帯端末装置に関するものである。
更に詳述すれば、操作の安定性と携帯性が確保できる携帯端末装置を提供することにある。
【背景技術】
【０００２】
図２は従来より一般に使用されている従来例の要部構成説明図、図３は図２の動作説明図である。
図において、タッチパネル式ノート型パソコン１においては、液晶部２にタッチパネルが取り付けられている。
【０００３】
タッチパネル式ノート型パソコン１には、内蔵の電子部品３を冷却するために吸気ファン４が内蔵されている。
吸気孔５は、タッチパネル式ノート型パソコン１に設けられ、吸気ファン４に一端が接続され他端が、タッチパネル式ノート型パソコン１に設けられた吸気口６に接続されている。
【０００４】
以上の構成において、図２に示す如く、タッチパネル式ノート型パソコン１では、タッチパネル式ノート型パソコン１の液晶部に付いているタッチパネルを、マウスを使用してのポインターの移動、クリックなどの代わりに、指で押すなどして操作する。
【先行技術文献】
【特許文献】
【０００５】
【特許文献１】特開平１０−２０７５７４号公報
【特許文献２】特開平１１−０５３０６０号公報
【特許文献３】特開平１１−１４３３７５号公報
【特許文献４】特開平１１−３４５０４１号公報
【特許文献５】特開２０００−１３７５４１号公報
【特許文献６】特開２００３−０２９８７８号公報
【発明の概要】
【発明が解決しようとする課題】
【０００６】
このような装置においては、以下の問題点がある。
図２に示す如く、従来のタッチパネル式ノート型パソコンは、タッチパネルの表示された液晶部が斜め、あるいは直角に配置されており、液晶部に付いているタッチパネルを操作する(押す)とパソコン全体が倒れるなどして動いてしまう。
パソコンを動かないようにするために、パソコンをネジなどで固定してしまうと、ノート型パソコンの携帯性が損なわれてしまう。
【０００７】
本発明の目的は、上記の課題を解決するもので、操作の安定性と携帯性が確保できる携帯端末装置を提供することにある。
【課題を解決するための手段】
【０００８】
このような課題を達成するために、本発明では、請求項１の携帯端末装置においては、
携帯端末本体に設けられ発熱部品を冷却する吸気空気ファンと、この吸気空気ファンに一端が連通され他端が吸気口に連通される吸気孔と、前記携帯端末装置の底面に設けられた吸盤と、この吸盤に一端が連通され他端が前記吸気孔の途中に連通される吸盤連通孔と、この吸盤連通孔と前記吸気孔との接続部に設けられ電源ＯＮ時には前記吸気孔の吸気口側を閉にし前記吸盤連通孔を開にし前記吸盤連通孔が所定の負圧に達したら前記所定の負圧を維持できる程度に前記吸気孔の吸気口側をも開にし電源ＯＦＦ時には前記吸気孔と前記吸盤連通孔を連通するバルブ手段と、を具備したことを特徴とする。
【０００９】
本発明の請求項２の携帯端末装置においては、請求項１記載の携帯端末装置において、
前記バルブ手段は、一端側が前記吸気孔にヒンジ状に支持され電源ＯＮ時に前記吸気孔の吸気口側を閉にするバルブ板と、前記バルブ板の他端側に一端が接続され他端が前記吸気孔に支持される圧縮ばねと、を具備したことを特徴とする。
【発明の効果】
【００１０】
本発明の請求項１によれば、次のような効果がある。
携帯端末装置の電源を入れたときに、携帯端末装置が吸盤部分でテーブルに固定される。
テーブルに固定されているため、タッチパネル操作などの外力を携帯端末装置に加えても携帯端末装置が倒れたり動いたりしない。
電源を切ると、携帯端末装置のテーブルへの固定が解除され、持ち運びが出来る。
この結果、操作が安定に出来、携帯性が確保できる携帯端末装置が得られる。
【００１１】
使用時(電源投入時)のみ自動的に固定され、未使用時は固定されていない。固定用のネジなどを用いていないため、ユーザーは固定/解除を意識せず安定して使用できる携帯端末装置が得られる。
【００１２】
本発明の請求項２によれば、次のような効果がある。
バルブ手段は、一端側が吸気孔にヒンジ状に支持され、電源ＯＮ時に吸気孔の吸気口側を閉にするバルブ板と、バルブ板の他端側に一端が接続され他端が吸気孔に支持される圧縮ばねとで構成されたので、簡潔で、安価な携帯端末装置が得られる。
【００１３】
本発明の請求項２によれば、次のような効果がある。
バルブ手段は、一端側が吸気孔にヒンジ状に支持され、電源ＯＮ時に吸気孔の吸気口側を閉にするバルブ板と、バルブ板の他端側に一端が接続され他端が吸気孔に支持される圧縮ばねとで構成されたので、簡潔で、安価な携帯端末装置が得られる。
【００１４】
一般的にノート型パソコンには、空冷用のＦＡＮが設置されているのが普通であり、本発明のために特に大掛かりな構成は不要であり、操作が安定に得られて、しかも、安価に出来る携帯端末装置が得られる。
【００１５】
ノートパソコンのような折りたたみ構造のもののみでなく、ＩＰＡＤのような卓上機器にも適用できる。マルチタッチの複雑な指の動きに対しても安定した設置を行なえる携帯端末装置が得られる。
テーブルに固定され操作が安定するだけでなく、ハードディスクなど振動衝撃に弱い部品の保護にも効果がある携帯端末装置が得られる。
【図面の簡単な説明】
【００１６】
【図１】本発明の一実施例の要部構成説明図である。
【図２】従来より一般に使用されている従来例の要部構成説明図である。
【図３】図２の動作説明図である。
【発明を実施するための形態】
【００１７】
以下本発明を図面を用いて詳細に説明する。
図１は本発明の一実施例の要部構成説明図である。
図において、図２と同一記号の構成は同一機能を表す。
以下、図２との相違部分のみ説明する。
【００１８】
図１において、吸盤１２は、タッチパネル式ノート型パソコン１１の底面１３に設けられている。
吸盤連通孔１４は、吸盤１１に一端が連通され、他端が吸気孔５の途中に連通されている。
【００１９】
バルブ手段１５は、吸盤連通孔１４と吸気孔５との接続部に設けられ、電源ＯＮ時には吸気孔５の吸気口６側を閉にし、吸盤連通孔１４を開にし、吸盤連通孔１４が所定の負圧に達したら、所定の負圧を維持できる程度に吸気孔５の吸気口６側をも開にし、電源ＯＦＦ時には吸気孔５と吸盤連通孔１４を連通する。
【００２０】
この場合は、バルブ手段１５は、バルブ板１５１と圧縮ばね１５２とを有する。
バルブ板１５１は、一端側が吸気孔５にヒンジ状に支持され、電源ＯＮ時に吸気孔５の吸気口６側を閉にする。
圧縮ばね１５２は、バルブ板１５１の他端側に一端が接続され、他端が吸気孔５に支持されている。
【００２１】
以上の構成において、パソコン１１を使用するために、ユーザはテーブルにパソコン１１を置き、電源をＯＮにする。
冷却用の吸気ファン４が回転する。
電源投入時はバルブ板１５１が吸盤１２の側に開いているため、吸気ファン４で生じる吸気の流れは吸盤１２の側から流れ込む。
【００２２】
吸盤１２はテーブルに接しているため、吸気ファン４により吸盤１２からの経路は負圧を生じ吸盤１２がテーブルに貼り付く。
あるレベルの負圧になったところで、バルブ板１５１が移動し、吸気孔５をわずか開き、吸盤１２からの経路は負圧を保ったまま、吸気ファン４には吸気口６からの風が流れ込む。
【００２３】
吸盤側の経路は負圧を保つことにより、パソコン１１はテーブルに貼り付き、パソコン１１のタッチパネル１１１などを操作してもパソコン１２が転倒するなど動くことはない。  また、吸気口６から吸気ファン４に外気が流れ込むために、ＣＰＵなど発熱部品の冷却は十分に行われる。
【００２４】
ユーザがパソコン１２を使い終わり、電源をＯＦＦにすると吸気ファン４が停止し、吸気口６からの経路の内圧が変化し、バルブ板１５１が元の位置に戻り、吸盤１１の側にも空気が入り負圧でなくなる。
そのためパソコン１２は、テーブルとの貼り付きもなくなり、簡単にパソコン１２を持ち運ぶことが出来る。
【００２５】
なお、パソコン１２をテーブルでなく、ひざの上などで使った場合にも、吸盤１１から冷却用の空気を取り入れることが出来るので、発熱部品を冷やすことが出来る。
【００２６】
この結果、
タッチパネル式ノート型パソコン１２の電源を入れたときに、タッチパネル式ノート型パソコン１２が吸盤１１の部分でテーブルに固定される。
テーブルに固定されているため、タッチパネル操作などの外力をタッチパネル式ノート型パソコン１２に加えてもタッチパネル式ノート型パソコン１２が倒れたり動いたりしない。
【００２７】
電源を切ると、タッチパネル式ノート型パソコン１２のテーブルへの固定が解除され、持ち運びが出来る。
この結果、操作が安定に出来、携帯性が確保できるタッチパネル式ノート型パソコン１２が得られる。
【００２８】
バルブ手段１５は、一端側が吸気孔５にヒンジ状に支持され、電源ＯＮ時に吸気孔５の吸気口６側を閉にするバルブ板１５１と、バルブ板１５１の他端側に一端が接続され他端が吸気孔５に支持される圧縮ばねとで構成されたので、簡潔で、安価なタッチパネル式ノート型パソコン１２が得られる。
【００２９】
なお、前述の実施例においては、パソコンに付いて、タッチパネル式ノート型パソコン１２と説明したが、これに限ることはなく、要するに、携帯端末装置であれば良い。
【００３０】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３１】
１      タッチパネル式ノート型パソコン
２      液晶部
３      電子部品
４      吸気ファン
５      吸気孔
６      吸気口
１１    タッチパネル式ノート型パソコン
１１１  タッチパネル
１２    吸盤
１３    底面
１４    吸盤連通孔
１５    バルブ手段
１５１  バルブ板
１５２  圧縮ばね
【図１】
2012098999.tif 000003
【図２】
2012098999.tif 000004
【図３】
2012098999.tif 000005